(57)【要約】【課題】従来のデータ検索装置では、記録媒体の大容量化により、一枚に記録できるデータ数が格段に増加している中、所望のデータを見つけだすのには、煩雑な操作を繰り返す必要がある。【解決手段】上記課題を解決するため、本発明では、データの検索情報の入力を受け付ける入力手段と、記録媒体が装置に装填された時に、検索情報にあうデータが装填された記録媒体に記録されているかを検索する検索手段と、検索結果をユーザに知らせる提示手段を備えている。【選択図】図１
2007280454.tif 000002
【特許請求の範囲】
【請求項１】
着脱可能な記録媒体に記録されたデータの中から所望のデータを検索するのに必要な検索情報を受け付ける入力手段と、
前記記録媒体に記録されたデータの中から、前記入力された検索情報が示す所望のデータを検索する検索手段と、
前記検索手段が前記所望のデータを見つけた場合には、前記所望のデータが前記記録媒体に記録されている旨を提示する提示手段と、を備えることを特徴とするデータ検索装置。
【請求項２】
自装置に記録媒体を装着する操作に応じて、前記検索手段は所望のデータを検索する、
請求項１に記載のデータ検索装置。
【請求項３】
自装置に装着した記録媒体を入れ替えて別の記録媒体を装着した場合、前記検索手段は、入替え前の記録媒体について所望のデータを検索した際に用いた検索情報に基づいて、入替え後の記録媒体について所望のデータを検索する、
請求項１または２に記載のデータ検索装置。
【請求項４】
前記記録媒体に記録されたデータは、映像データまたは／および音声データを含むコンテンツである、
請求項１〜３のいずれかに記載のデータ検索装置。
【請求項５】
前記記録媒体は、記憶したデータに対応させた状態で、前記記憶させたデータの情報であるデータ情報を記録し、
前記検索手段は、前記記録媒体に記録されたデータ情報に基づいて、所望のデータを検索する、
請求項１〜４のいずれかに記載のデータ検索装置。
【請求項６】
前記記録媒体に記録されたデータに対してユーザーにより作成されたデータ任意情報を受け付ける任意情報受付手段をさらに備え、
前記記録媒体は、記憶したデータに対応させた状態で、前記受け付けられたデータ任意情報を記録し、
前記検索手段は、前記記録媒体に記録されたデータ任意情報に基づいて、所望のデータを検索する、
請求項１〜５のいずれかに記載のデータ検索装置。
【請求項７】
前記提示手段は、前記所望のデータが前記記録媒体に記録されている旨を光で提示する請求項１〜６のいずれかに記載のデータ検索装置。
【請求項８】
前記提示手段は、前記所望のデータが前記記録媒体に記録されている旨を音で提示する請求項１〜７のいずれかに記載のデータ検索装置。
【請求項９】
前記提示手段は、前記所望のデータが前記記録媒体に記録されている旨を、前記所望のデータを再生することによって提示する請求項１〜８のいずれかに記載のデータ検索装置。
【発明の詳細な説明】
【技術分野】
【０００１】
本発明は、多数のデータが記録された複数の記録媒体から所望のデータを容易に検索できるデータ検索装置に関するものである。特に、映像音声記録再生装置における、映像音声コンテンツデータのデータ検索に関する。
【背景技術】
【０００２】
既に普及しているＤＶＤ−ＲＡＭ／ＤＶＤ−ＲＷ／ＤＶＤ＋ＲＷ／ＤＶＤ−Ｒ等のＤＶＤメディア、また、これから実用化されるＢＤメディア等、近年、記録容量が格段に向上した記録媒体が据え置き型の映像音声記録再生装置で用いられるようになってきた。また、携帯型の映像音声記録再生装置においても、ＳＤメモリ等の大容量の小さな記録媒体が使えるようになってきた。これら記録媒体に記録されるコンテンツに関する情報についても、例えば、ＤＶＤメディアに記録される映像コンテンツである放送コンテンツでは、電子番組情報：ＥＰＧからコンテンツに関する情報：番組名、出演者等を容易に取得でき、ＤＶＤメディア上にコンテンツそのものと合わせて記録することが可能となってきている。一方、ＳＤメモリ等の半導体メモリに記録される音楽コンテンツでも、ＣＤＤＢ等から楽曲情報が取得されメモリ上に記録され、利用され始めている。
【０００３】
このように、ＤＶＤメディア、ＳＤメモリ等の大容量の記録媒体に多数の映像コンテンツ、音楽コンテンツがコンテンツ情報とともに記録できるようになっている。このような記録媒体を数多く使えるようになると、ユーザが視聴したいコンテンツが、どのメディアに記録されているのかを、ユーザが、探すのが難しくなってきているという現実がある。
【０００４】
数行の表示しかできない携帯型の映像音声記録再生装置に、半導体メモリを装填し、表示されているコンテンツ情報を見て、コンテンツを検索するのには手間を要し、操作感からして容認しがたいものとなりつつある。数千、数万の楽曲が記録された複数の記録媒体から一つの楽曲を探すとなると絶望的である。
【０００５】
このように映像音声記録再生装置において、複数の記録媒体から所望のコンテンツを検索時のこの煩わしさを解決するための技術が提案されている。例えば、特許文献１に開示されている技術が存在する。この特許文献１では、装置に不揮発性メモリを備え、そのメモリに、記録媒体からコンテンツの再生時と記憶媒体へのコンテンツの記録時に、コンテンツ情報とともに記録媒体の識別情報を記録し、この不揮発メモリに記録した内容とユーザが与えた検索情報とにより該当のコンテンツが記録された記憶媒体の識別情報を特定し、表示することにより、その識別情報から該当の記憶媒体を見つけ出すことができる。
【特許文献１】特開２００３−３０３４８６号公報
【発明の開示】
【発明が解決しようとする課題】
【０００６】
しかしながら、上記特許文献１に記載の技術では、識別情報を得られるだけで識別情報から可換記録媒体の特定は場合によっては、利用者に煩わしさを残す。つまり、記録媒体自身に識別情報を明記できていない場合では、記録媒体を装置に装填し、識別情報を読み出す必要がある。携帯型映像音声記録再生装置向けの記録媒体である小型の半導体メモリであれば、物理的に識別情報を媒体上に明記できないのが普通であり、上記操作が必須となる。
【０００７】
それ故に、本発明の目的は、識別情報に替え、予め検索情報を設定し、記録媒体を装置に装填した際に、所望のデータの有無をユーザに提示できることを可能とするデータ検索装置を提供することである。
【課題を解決するための手段】
【０００８】
上記課題を解決するため、本発明では、着脱可能な記録媒体に記録されたデータの中から所望のデータを検索するのに必要な検索情報を受け付ける入力手段と、前記記録媒体に記録されたデータの中から、前記入力された検索情報が示す所望のデータを検索する検索手段と、前記検索手段が、前記所望のデータを見つけた場合には、前記所望のデータが前記記録媒体に記録されている旨を提示する提示手段を備えている。
【発明の効果】
【０００９】
本発明のデータ検索装置では、入力手段により、予め検索情報が入力されており、記憶媒体を機器に装填した際に、データの有無が検索され、記録されていれば光、音で、その旨を提示する。また、データが映像データまたは／および音声のデータである場合には、そのデータの再生等でユーザに提示でき、記録媒体の識別情報にて記録媒体と特定する手間が省ける。
【００１０】
このように本発明のデータ検索装置では、記憶媒体を記録装置に装填させ、その際にデータの有無を示すことができるので、課題としたユーザの煩わしさを解消でき、その利便性を向上できる。
【発明を実施するための最良の形態】
【００１１】
本発明のデータ検索装置における、大容量の記録媒体に多数の記録されたコンテンツの中からユーザが所望するコンテンツが記録された記録媒体を容易に見つけることを可能とするデータ検索装置を提供するという目的に対して、下記に示す手段にて提供できることを示す。
【００１２】
以下、本発明の実施の形態について、図面を参照しながら説明する。なお、検索を行う記録媒体に記録されたデータを、音声データであるとする。
【００１３】
（実施の形態１）
図１は、本発明の実施の形態１におけるデータ検索装置の構成図である。図１において、１は、入力手段である。入力手段１は、着脱可能な記録媒体に記録されたデータの中から所望のデータを検索するのに必要な検索情報を受け付ける。
本説明では、検索情報として、記録媒体上データの識別情報：ファイル名を受け付けるとする。
【００１４】
２は、検索手段である。検索手段２は、記録媒体に記録されたデータの中から、入力された検索情報が示すデータを検索する。
【００１５】
３は、提示手段である。提示手段３は、検索手段２が所望のデータを見つけた場合に、所望のデータが記録媒体に記録されている旨を提示する。
【００１６】
図２は、図１の検索手段２でのデータ検索時の制御フローチャートである。図１、２を用い、本データ検索装置でのユーザが所望したコンテンツ検索時の制御内容を下記に示す。
【００１７】
説明にあたり、記録媒体としては、３枚の記録媒体があり、ファイル名：“０００００．ｍｐ３”〜“９９９９．ｍｐ３”である９９９９個の音楽コンテンツが無秩序な順番であるが３３３３個毎、３枚の記録媒体に分かれて記録されているものとする。また、ユーザが再生したいコンテンツとしてデータ検索時に指定したファイル名は、”２７４９．ｍｐ３”であり、このデータが、３枚目に本装置に装填した記録媒体に記録されていたとする。提示手段３の具体的な提示方法例としては、該当データの有無を示す専用のＬＥＤが装置に用意されており、緑が検索情報に合致するものあり、赤が検索情報に合致するものなしであるとする。
【００１８】
Ｓ２０１：入力手段１は、本データ検索装置で検索するのに必要な検索情報を受け付ける。本説明では、検索したいデータのファイル名：“２７４９．ｍｐ３”が、検索情報となる。
【００１９】
Ｓ２０２：検索手段２は、記録媒体に記録されたデータの中から、検索情報が示す所望のデータ：”２７４９．ｍｐ３”の検索を開始する。所望のデータの検索の開始に際しては、記録媒体が既に装着されている場合は、受付直後、すぐに検索を開始する。記録媒体が未装着の場合は、自装置に記録媒体が装着された時に検索を開始する。
【００２０】
Ｓ２０３：検索手段２は、検索対象である記録媒体に記録されたデータから検索情報が示す所望のデータ：“２７４９．ｍｐ３”を検索する。該当データ：”２７４９．ｍｐ３”が記録されていないことを確認する。
【００２１】
Ｓ２０５：１枚目の記録媒体に検索情報が示す所望のデータ：”２７４９．ｍｐ３”が記録されていないので、提示手段３は、ＬＥＤを赤にする。
【００２２】
Ｓ２０６：検索手段２は、検索終了を確認する。本説明では、２枚目の記録媒体があるので、続いてＳ２０２の処理を開始する。
【００２３】
Ｓ２０２、Ｓ２０３、Ｓ２０５の処理が上記と同様に行われる。
【００２４】
３枚目の記録媒体に対して、Ｓ２０２：検索手段２は、３枚目の記録媒体が自装置に装着された時に、３枚目の記録媒体に記録されたデータの中から、検索情報が示す所望のデータ：”２７４９．ｍｐ３”の検索を開始する。
【００２５】
Ｓ２０３：検索手段２は、３枚目の記録媒体に記録されたデータから検索情報が示す所望のデータ：”２７４９．ｍｐ３”を検索する。該当データ：”２７４９．ｍｐ３”が記録されていたことを確認する。
【００２６】
Ｓ２０４：３枚目の記録媒体に検索情報が示す所望のデータ：”２７４９．ｍｐ３”が記録されているので、提示手段３は、ＬＥＤを緑にする。
【００２７】
Ｓ２０６：検索手段２は検索終了を確認し、終了する。
【００２８】
このように本発明によれば、従来のような、記録媒体を装置に装填し、データ一覧を表示させて、検索情報が示すデータが自装置に装着した記録媒体に記録されているかをユーザが見ながら確認するといった煩わしい操作が必要なくなる。また、従来のように、ある程度グルーピングされた状態でデータが表示できる機能があったとしても、記録媒体を入れ替えデータの有無を確認するユーザの操作が必要であることにはかわりはない。この点、本発明は予め検索情報を設定するだけで、あとは、提示手段３の該当データの有無の提示のみを確認し、記録媒体を装填しなおすだけでよく、その利便性は格段に改善される。検索する記録媒体の数が増えればなおさらである。
【００２９】
なお、上記の説明では、光を用いてユーザに該当のコンテンツが記録媒体に記録されているかを示したが、特定のビープ音を用いる、該当のコンテンツを再生することで記録されていることを示すことを提示手段としてもよい。また、上記説明では、音声データを用いて説明したが、映像データ、統計データ等、他の種類のデータを用いたデータ検索装置においても同様の効果が得られる。
【００３０】
（実施の形態２）
以下、本発明の実施の形態２について、図面を参照しながら説明する。装置の構成、データ検索時の制御フローは実施の形態１と同様である。図３は、記録媒体に記憶したデータと、データ対応させた状態で記録したデータ情報の例を示したものである。図１、２、３を用いて、本実施の形態２でのデータ検索装置の動作を説明する。
【００３１】
説明にあたり、記録媒体としては、１枚の記録媒体があり、図３に示すように数多くの音声データと音声データ情報：楽曲情報（ジャンル名：ＪＰＯＰ，Ｒ＆Ｂ，ロック、アルバム名、アーティスト名、タイトル）が記録媒体に記録されているものとする。また、検索手段２にて、自装置に装着された記録媒体から音声データ情報を取得し、音声データ情報：ジャンル名、アーティスト名、アルバム名、タイトルが、検索情報としても、受け付けられるものとする。
【００３２】
Ｓ２０１：入力手段１は、本データ検索装置で検索するのに必要な検索情報を受け付ける。本説明では、自装置に装着された記録媒体から検索情報ともなる音声データ情報が取得され、その音声データ情報の中でジャンル名：“ＪＰＯＰ”を、検索情報として受け付けたものとする。
【００３３】
Ｓ２０２：検索手段２は、記録媒体に記録されたデータの中から、検索情報が示す所望の音声データに関連する音声データ情報：”ジャンル名“ＪＰＯＰ”の検索を開始する。
【００３４】
Ｓ２０３：検索手段２は、検索対象である記録媒体に記録された音声データ情報から検索情報が示す所望のデータに関連する音声データ情報：ジャンル名“ＪＰＯＰ”を検索する。
【００３５】
図３において、検索情報：音声データ情報に合致するデータ、及びデータ情報（太字で示したもの）が記録されていることを確認する。
【００３６】
Ｓ２０４：記録媒体に検索情報が示す所望のデータに関連する音声データ情報：ジャンル名”ＪＰＯＰ”が記録されているので、提示手段３は、ＬＥＤを緑にする。
【００３７】
Ｓ２０６：検索手段２は検索終了を確認し、終了する。
【００３８】
検索対象の記録媒体が複数であった場合の処理は、実施の形態１と同様の処理が行われる。
【００３９】
このように本発明によれば、入力手段１は、記録媒体上に記録されたデータに関連するデータ情報をも検索情報として受け付けるようになる。受付に際して、データ情報にて検索したいデータをグルーピングしているため、検索情報を受け付ける際に選択的に検索情報の指定を受け付けることができる。データの素性がはっきりとわかっていない場合は、このようなデータ情報を用いることで、データ検索時のユーザの操作の煩わしさを緩和できる。
【００４０】
なお、上記の説明では、光を用いてユーザに該当のコンテンツが記録媒体に記録されているかを示したが、特定のビープ音を用いる、該当のコンテンツを再生することで記録されていることを示すことを提示手段としてもよい。さらに、上記説明では、音声データを用いて説明したが、映像データ、統計データ等、他の種類のデータを用いたデータ検索装置においても同様の効果が得られる。
【００４１】
（実施の形態３）
以下、本発明の実施の形態３について、図面を参照しながら説明する。図４は、本発明の実施の形態３におけるデータ検索装置の構成図である。
【００４２】
図４において、１は、入力手段である。入力手段１は、着脱可能な記録媒体に記録されたデータの中から所望のデータを検索するのに必要な検索情報を受け付ける。本説明では、検索情報として、記録媒体に記録されたデータに対してユーザにより作成されたデータ任意情報を用いるものとする。
【００４３】
２は、検索手段である。検索手段２は、記録媒体に記録されたデータの中から、入力された検索情報が示すデータを検索する。
【００４４】
３は、提示手段である。提示手段３は、検索手段２が所望のデータを見つけた場合に、所望のデータが記録媒体に記録されている旨を提示する。
【００４５】
４は、任意情報受付手段である。任意情報受付手段４は、記録媒体に記録されたデータに対してユーザにより作成されたデータ任意情報を受け付ける。受け付けたデータ任意情報は、対応するデータが記録された記録媒体上に関連付けて記録される。
【００４６】
図５は、記録媒体に記憶したデータと、データ対応させた状態で記録したデータ情報・任意情報受付手段４にて受け付けたデータ任意情報の例を示したものである。
【００４７】
図４、２、５を用いて、本実施の形態３でのデータ検索装置の動作を説明する。
【００４８】
説明にあたり、記録媒体としては、１枚の記録媒体があり、図５に示すように数多くのデータとデータ情報：楽曲情報（ジャンル名：ＪＰＯＰ，Ｒ＆Ｂ，ロック、アルバム名、アーティスト名、タイトル）、データ任意情報：ユーザの嗜好度（１から５）が記録媒体に記録されているものとする。また、検索手段２にて、自装置に装着された記録媒体からデータ任意情報：ユーザ嗜好度（１から５）を取得し、検索情報としても、受け付けられるものとする。
【００４９】
Ｓ２０１：入力手段１は、本データ検索装置で検索するのに必要な検索情報を受け付ける。本説明では、自装置に装着された記録媒体から検索情報ともなるデータ任意情報：ユーザの嗜好度が取得され、ユーザ嗜好度：“３”を、検索情報として受け付けたものとする。
【００５０】
Ｓ２０２：検索手段２は、記録媒体に記録されたデータの中から、検索情報が示す所望の音声データに関連するデータ任意情報：ユーザ嗜好度“３”の検索を開始する。
【００５１】
Ｓ２０３：検索手段２は、検索対象である記録媒体に記録されたデータ任意情報から検索情報が示す所望のデータに関連するデータ任意情報：“３”を検索する。
【００５２】
図３において、検索情報：データ任意情報（ユーザの嗜好度：３）に合致する音声データ（太字で示したもの）が記録されていることを確認する。
【００５３】
Ｓ２０５：記録媒体に検索情報が示す所望のデータに関連するデータ任意情報：ユーザ嗜好度”３”が記録されているので、提示手段３は、ＬＥＤを緑にする。
【００５４】
Ｓ２０６：検索手段２は検索終了を確認し、終了する。
【００５５】
複数の記録媒体があった場合の処理は、実施の形態１、２と同様である。
【００５６】
このように本発明によれば、任意情報受付手段４により、ユーザによる検索情報を追加ができるようになり、一般のデータ情報を多様化でき、検索時のグルーピングの構築が容易になり、その利便性を向上できる。
【産業上の利用可能性】
【００５７】
以上のように、本発明のデータ検索装置によれば、操作したいデータに係る検索情報を予め設定しておき、調べたい記録媒体を本発明のデータ検索装置に装填するだけで、後は、装置の取り付けた、ＬＥＤ（光）、スピーカー／ヘッドフォン（音）にて、操作したいデータが記録媒体上に存在するかをユーザに提示でき、これから大容量化する記録媒体から所望のコンテンツを探す際に、装置に対して煩雑なデータ検索操作を調べたい記録媒体毎に行わなくてもよくなり、従来のものに対して大きく改善され、その産業的価値は大きい。そのため、本発明は、オーディオ機器や画像再生装置など、コンテンツを再生する装置に適用可能である。
【図面の簡単な説明】
【００５８】
【図１】本発明の実施の形態１、２における、データ検索装置の構成図
【図２】本発明の実施の形態１，２，３の検索手段２における、コンテンツの検索時のデータ検索装置の動作フローを示したフローチャート
【図３】本発明の実施の形態２における、記録媒体上に記録されたデータと関連するデータ情報の一覧を示す図
【図４】本発明の実施の形態３における、データ検索装置の構成図
【図５】本発明の実施の形態３における、記録媒体上に記録されたデータと関連するデータ情報の一覧を示す図
【符号の説明】
【００５９】
１    入力手段
２    検索手段
３    提示手段
４    任意情報受付手段
【図１】
2007280454.tif 000003
【図２】
2007280454.tif 000004
【図３】
2007280454.tif 000005
【図４】
2007280454.tif 000006
【図５】
2007280454.tif 000007